(57)【要約】【課題】  受信品質を向上できる高周波受信装置およびそれに用いるフィルタ回路、並びに、フィルタの制御方法、プログラム、および記録媒体を提供する。【解決手段】  信号で変調された高周波のアナログ信号を受信し、受信した高周波のアナログ信号をダウンコンバートする周波数変換回路４・５と、ダウンコンバートされたアナログ信号から不要な周波数成分を除去するためのローパスフィルタ１４・１５と、ローパスフィルタ１４・１５からのアナログ信号をデジタル信号に変換するＡ／Ｄ変換回路１８と、Ａ／Ｄ変換回路１８の出力信号をデジタル復調すると共に受信品質を検出する復調回路２０とを備える高周波受信装置において、復調回路２０で検出された受信品質に基づいてローパスフィルタ１４・１５のカットオフ周波数を調整するための制御信号発生器２６およびカットオフ調整回路３８を設ける。また、制御信号発生器２６をソフトウェアで実現する。【選択図】  図１
2006148708.tif 000002
【特許請求の範囲】
【請求項１】
信号で変調された高周波のアナログ信号を受信し、受信品質を検出する受信品質検出手段を備える高周波受信装置に用いられるフィルタ回路において、
アナログ信号から不要な周波数成分を除去するためのフィルタと、
上記受信品質検出手段で検出された受信品質に基づいて、上記フィルタのカットオフ周波数を調整するカットオフ調整手段とを備えることを特徴とするフィルタ回路。
【請求項２】
上記高周波受信装置は、
デジタル信号で変調された高周波のアナログ信号を受信し、受信した高周波のアナログ信号をダウンコンバートする周波数変換器と、
上記フィルタからのアナログ信号をデジタル信号に変換するアナログ−デジタル変換器とをさらに備え、
上記受信品質検出手段は、上記アナログ−デジタル変換器の出力信号をデジタル復調すると共に、受信品質を検出する復調回路であり、
上記フィルタは、ダウンコンバートされたアナログ信号から不要な周波数成分を除去するものであることを特徴とする請求項１記載のフィルタ回路。
【請求項３】
上記フィルタは、トランスコンダクタンスアンプと、トランスコンダクタンスアンプの出力を受けるキャパシタとを含むＧｍ−Ｃフィルタであり、
上記カットオフ調整手段は、上記受信品質検出手段で検出された受信品質に基づいてトランスコンダクタンスアンプの利得を制御するものであることを特徴とする請求項１または２に記載のフィルタ回路。
【請求項４】
上記カットオフ調整手段は、
上記フィルタのカットオフ周波数を段階的に調整する調整手段と、
上記調整手段によって上記フィルタのカットオフ周波数が調整された後に、上記フィルタのカットオフ周波数を、上記カットオフ調整手段による調整よりも細かく調整する微調整手段とを備えることを特徴とする請求項１ないし３のいずれか１項に記載のフィルタ回路。
【請求項５】
上記カットオフ調整手段は、ある方向にフィルタのカットオフ周波数を変化させるステップを１回実行し、その１回の実行によって受信品質が悪化しない場合には、受信品質が悪化するまで上記ステップを繰り返し実行した後、直前のステップを実行する前の状態に戻すことを特徴とする請求項１ないし３のいずれか１項に記載のフィルタ回路。
【請求項６】
上記カットオフ調整手段は、ある方向にフィルタのカットオフ周波数を所定量だけ変化させるステップを１回実行し、その１回の実行によって受信品質が悪化しない場合には、受信品質が悪化するまで上記ステップを繰り返し実行した後、直前のステップを実行する前の状態に戻し、上記ステップと同じ方向にフィルタのカットオフ周波数を上記所定量より少ない量だけ変化させるステップを受信品質が悪化するまで繰り返し実行した後、直前のステップを実行する前の状態に戻すことを特徴とする請求項１ないし３のいずれか１項に記載のフィルタ回路。
【請求項７】
上記カットオフ調整手段は、１ステップごとにフィルタのカットオフ周波数を変化させる量を増大させながら、フィルタのカットオフ周波数を増加させるステップと、フィルタのカットオフ周波数を減少させるステップとを交互に繰り返し所定回数実行した後、各ステップ実行後の状態のうちで受信状態が最も高い状態にすることを特徴とする請求項１ないし３のいずれか１項に記載のフィルタ回路。
【請求項８】
上記フィルタが、複数存在し、
上記カットオフ調整手段は、上記受信品質検出手段で検出された受信品質に基づいて、上記複数のフィルタのカットオフ周波数を同時に同じ方法で制御することを特徴とする請求項１ないし３のいずれか１項に記載のフィルタ回路。
【請求項９】
上記フィルタが、複数存在し、
上記カットオフ調整手段は、上記受信品質検出手段で検出された受信品質に基づいて、上記複数のフィルタのカットオフ周波数を個別に制御することを特徴とする請求項１ないし３のいずれか１項に記載のフィルタ回路。
【請求項１０】
上記フィルタのカットオフ周波数の最適値を保持する記憶手段をさらに備え、
上記カットオフ調整手段は、受信動作時に、フィルタのカットオフ周波数を調整した後、その時点でのフィルタのカットオフ周波数を最適値として記憶手段に保持させ、次回の受信動作時に、記憶手段に保持させた最適値にフィルタのカットオフ周波数を設定することを特徴とする請求項１ないし３のいずれか１項に記載のフィルタ回路。
【請求項１１】
上記フィルタのカットオフ周波数の最適値を保持する記憶手段をさらに備え、
上記カットオフ調整手段は、受信動作時に、フィルタのカットオフ周波数を調整した後、その時点でのフィルタのカットオフ周波数を最適値として記憶手段に保持させ、次回の受信動作時に、記憶手段に保持させた最適値を基準値としてフィルタのカットオフ周波数を再調整することを特徴とする請求項１ないし３のいずれか１項に記載のフィルタ回路。
【請求項１２】
信号で変調された高周波のアナログ信号を受信する高周波受信装置であって、
アナログ信号から不要な周波数成分を除去するためのフィルタと、
受信品質を検出する受信品質検出手段とを備える高周波受信装置において、
上記受信品質検出手段で検出された受信品質に基づいて、上記フィルタのカットオフ周波数を調整するカットオフ調整手段をさらに備えることを特徴とする高周波受信装置。
【請求項１３】
デジタル信号で変調された高周波のアナログ信号を受信し、受信した高周波のアナログ信号を局部発振信号と混合することでダウンコンバートする周波数変換器と、
サンプリングクロック信号を用いて上記フィルタからのアナログ信号をデジタル信号に変換するアナログ−デジタル変換器と、
上記受信品質検出手段は、上記アナログ−デジタル変換器の出力信号をデジタル復調すると共に、受信品質を検出する復調回路であり、
上記フィルタは、ダウンコンバートされたアナログ信号から不要な周波数成分を除去するものであることを特徴とする請求項１２記載の高周波受信装置。
【請求項１４】
上記局部発振信号を生成する局部発振信号生成手段と、
上記サンプリングクロック信号を生成するサンプリングクロック信号生成手段とをさらに備え、
上記カットオフ調整手段は、上記受信品質検出手段で検出された受信品質に基づいて、上記フィルタのカットオフ周波数を調整するための制御信号を生成させる制御信号発生器と、上記制御信号に基づいて上記フィルタのカットオフ周波数を調整するカットオフ調整回路とを備え、
上記制御信号と、上記サンプリングクロック信号生成手段に入力されて上記サンプリングクロック信号の周波数を制御するサンプリング周波数制御信号と、上記局部発振信号生成手段に入力されて上記局部発振信号の周波数を制御する局部発振周波数制御信号とが、共通のバスで伝送されるようになっていることを特徴とする請求項１３記載の高周波受信装置。
【請求項１５】
信号で変調された高周波のアナログ信号を受信する高周波受信装置に用いられ、信号から不要な周波数成分を除去するためのフィルタを制御する制御方法であって、
受信品質を検出するステップと、
検出された受信品質に基づいて、上記フィルタのカットオフ周波数を調整するステップとを含むことを特徴とするフィルタの制御方法。
【請求項１６】
信号で変調された高周波のアナログ信号を受信する高周波受信装置に用いられ、信号から不要な周波数成分を除去するためのフィルタを制御するためのプログラムであって、
受信品質を検出するステップ、および
検出された受信品質に基づいて、上記フィルタのカットオフ周波数を調整するステップをコンピュータに実行させるためのプログラム。
【請求項１７】
請求項１６記載のプログラムを記録したコンピュータ読み取り可能な記録媒体。
【発明の詳細な説明】
【技術分野】
【０００１】
本発明は、デジタル衛星放送受信装置やデジタル方式の携帯電話機等に用いられる、変調された高周波信号を受信して復調する高周波受信装置およびそれに用いるフィルタ回路、並びに、高周波受信装置に用いるフィルタの制御方法、高周波受信装置に用いるフィルタを制御するためのプログラムおよび記録媒体に関するものである。
【背景技術】
【０００２】
従来より、デジタル変調された高周波信号を受信して復調する高周波受信装置においては、希望信号（復調したい信号）のチャンネルに隣接するチャンネルの信号（以下、単に隣接信号と称する）等の妨害信号を除去するためのローパスフィルタが用いられている（特許文献１参照）。
【０００３】
隣接信号を除去するためのローパスフィルタを用いた従来の高周波受信装置の一例を図１０に示す。図１０は、従来の高周波受信装置の一例の概略的構成を示すブロック図である。図１０を用いて従来例の高周波受信装置について以下に説明する。
【０００４】
従来例の高周波受信装置は、以下の回路構成を備えている。すなわち、従来例の高周波受信装置は、図１０に示すように、デジタル変調された高周波アナログ信号を受信する受信端子１０１、受信端子１０１で受信した高周波アナログ信号を増幅する増幅回路１０２および可変増幅回路１０３、受信信号の中心周波数で局部発振信号を発生する局部発振回路１０７、局部発振回路１０７で発生された局部発振信号から互いに直交する２つの局部発振信号（第１および第２の局部発振信号）を発生する９０°移相器（９０°移相回路）１０６、利得可変増幅回路１０３から出力された高周波アナログ信号を、第１および第２の局部発振信号と混合（ミキシング）することによってベースバンド信号に変換し、ベースバンド信号を出力する周波数変換回路（ミキサ）１０４および１０５、周波数変換回路１０４および１０５の出力信号から高周波成分を除去するローパスフィルタ１１０および１１１、ローパスフィルタ１１０および１１１の出力信号を自動利得制御（ＡＧＣ）の下で増幅してローパスフィルタ１１４および１１５への出力するＡＧＣアンプ部１１２および１１３、ＡＧＣアンプ部１１２および１１３の出力信号から隣接チャンネル等の妨害信号やノイズを除去するローパスフィルタ１１４および１１５、ローパスフィルタ１１４および１１５の出力信号を増幅する増幅回路１１６および１１７、ローパスフィルタ１１４および１１５から出力されたアナログ信号をデジタル信号に変換するアナログ−デジタル変換器１１８および１１９、アナログ−デジタル変換器１１８および１１９が出力したデジタル信号からデジタル変調された信号を復調する復調回路１２０、および、ローパスフィルタ１１４，１１５のカットオフ周波数を外部制御信号Ｓ２に従って制御するカットオフ設定回路１２５を備えている。
【０００５】
９０°移相器１０６は、局部発振回路１０７で発生された局部発振信号を９０°移相することによってＱ信号を復調するための第２の局部発振信号を発生して出力すると共に、局部発振回路１０７で発生された局部発振信号をＩ信号を復調するための第１の局部発振信号として出力する。復調回路１２０は、アナログ−デジタル変換器１１８の出力信号からＩ信号を復調すると共に、アナログ−デジタル変換器１１９の出力信号からＱ信号を復調する。
【０００６】
本実施形態の高周波受信装置は、アナログ−デジタル変換器１１８におけるアナログ−デジタル変換処理および復調回路１２０における復調処理に使用されるサンプリングクロック信号を発生させるサンプリング周波数発振回路１２１、局部発振回路１０７およびサンプリング周波数発振回路１２１で発生される局部発振信号の周波数を外部制御信号Ｓ１に従って安定化および制御する第２の位相ロックループ（ＰＬＬ）回路１０８、サンプリング周波数発振回路１２１で発生されるサンプリングクロック信号の周波数を外部制御信号Ｓ３に従って安定化および制御する第１の位相ロックループ（ＰＬＬ）回路１２２、位相ロックループ（ＰＬＬ）回路１０８および１２２による制御の基準となる基準信号を発生する基準信号発振器１０９および１２３をさらに備えている。
【０００７】
ここで用いるローパスフィルタ１１４，１１５は、所望のチャンネルに隣接するチャンネルの信号を除去するフィルタ（チャンネル選択フィルタ）としての役割と、アナログ−デジタル変換器１１８のサンプリングによって折り返し雑音が発生することを防止するためのアンチエリアシングフィルタとしての役割とを担っている。
【０００８】
上記従来の構成のような高周波受信装置では、アナログ−デジタル変換器１１８のアンチエリアシングフィルタとしての役割が重要である。この高周波受信装置の入力信号は、数Ｍｂａｕｄ〜数１０Ｍｂａｕｄ（「ｂａｕｄ」は、１秒間に起こるキャリア波の状態変化の回数を表わす変調速度の単位）である。そのため、このローパスフィルタ１１４，１１５は、有効に機能させるために、カットオフ周波数が、固定されるのではなく、適宜、入力信号のボーレート（１秒間に起こるキャリア波の状態変化の回数）に適した値に設定される。すなわち、外部設定信号をカットオフ設定回路１２５に入力して、ローパスフィルタ１１４，１１５のカットオフ周波数を入力信号のボーレート（１秒間に起こるキャリア波の状態変化の回数）に応じて設定している。
【０００９】
次に、従来例の高周波受信回路の動作について説明する。
【００１０】
まず、デジタル変調された搬送波（デジタル衛星放送波）を受信したアンテナ等から、デジタル変調されたアナログ信号を受信端子１０１に入力し、入力した信号を増幅回路１０２にて増幅し、利得可変増幅回路１０３にて利得を制御する。その信号を、周波数変換回路１０４，１０５にて、受信周波数の中心周波数とほぼ等しい周波数を持つ局部発振信号と混合することによってベースバンド信号にダウンコンバートする。次に、ローパスフィルタ１１０，１１１にてベースバンド信号から高周波成分を除去し、ローパスフィルタ１１０，１１１の出力の利得をＡＧＣアンプ部１１２および１１３にて制御した後、アナログ−デジタル変換器の前段で、カットオフ周波数が設定されたローパスフィルタ１１４，１１５によって隣接チャンネル等の妨害信号およびノイズを除去する。ローパスフィルタ１１４，１１５から出力されたアナログ信号をアナログ−デジタル変換器１１８，１１９にてデジタル信号に変換し、復調回路１２０にてデジタル信号からトランスポート信号（デジタル変調されて搬送された所望のチャンネルの信号）を復調し、トランスポート信号を出力する。
【００１１】
上記従来例の高周波受信回路では、外部から外部制御信号Ｓ１〜Ｓ３を、第２のＰＬＬ回路１０８、カットオフ設定回路１２５、および第１のＰＬＬ回路１２２に入力する必要がある。
【００１２】
なお、特許文献２には、制御信号として入力される電流の値に応じてカットオフ周波数が設定されるフィルタを備える高周波受信装置が開示されている。
【特許文献１】特開平１１−２０５１７６号公報（１９９９年７月３０日公開）
【特許文献２】特開２００２−１９８７７８号公報（２００２年７月１２日公開）
【発明の開示】
【発明が解決しようとする課題】
【００１３】
しかしながら、図１０に示す従来の構成では、他チャンネル（目的信号のチャンネル以外のチャンネル、特に隣接チャンネル）の信号等の妨害信号により性能が低下する可能性がある。すなわち、入力信号のボーレートが同一であっても、妨害信号の強度等の特性は変化する。そのため、例えば、ローパスフィルタ１１４，１１５のカットオフ周波数を、妨害信号の強度の低い状況に最適な値に設定した場合、他チャンネルの信号などの妨害信号の強度が強いときに、チャンネルの信号などの妨害信号を十分に除去できない可能性がある。その結果、受信性能が低下する可能性がある。
【００１４】
また、特許文献２に記載の構成も、図１０に示す従来の構成と同様の問題点を有している。
【００１５】
また、フィルタとして、外部よりカットオフ周波数を制御可能なＧｍ−Ｃフィルタが知られている。
【００１６】
そこで、図１０に示す高周波受信装置において、ローパスフィルタ１１４，１１５として外部よりカットオフ周波数を制御可能なＧｍ−Ｃフィルタを採用した構成を想定してみる。この構成では、入力信号のボーレートに応じて外部設定信号をＧｍ−Ｃフィルタに入力してＧｍ−Ｃフィルタのカットオフ周波数を調整することにより、性能の改善を図ることができる。また、上記の構成において、諸回路の工夫により入力信号の周波数の変動などを抑えれば、フィルタのカットオフ周波数が設定値からずれることを抑えることは可能であろう。
【００１７】
しかしながら、入力信号のボーレートに応じて外部設定信号をＧｍ−Ｃフィルタのカットオフ周波数を調整し、かつ、フィルタのカットオフ周波数が設定値からずれることを抑えたとしても、フィルタのカットオフ周波数が最適値（最高の受信特性が得られる値）からずれる可能性がある。そのため、他チャンネルの信号（特に隣接チャンネルの信号）等の妨害により性能が低下する。
【００１８】
本発明は、上記従来の問題に鑑みなされたものであり、その目的は、隣接チャンネルの信号等の妨害信号による妨害に対する耐性を向上でき、受信品質を向上できる高周波受信装置およびそれに用いるフィルタ回路、並びに、フィルタの制御方法、プログラム、および記録媒体を提供することにある。
【課題を解決するための手段】
【００１９】
本発明のフィルタ回路は、上記の課題を解決するために、信号で変調された高周波のアナログ信号を受信し、受信品質を検出する受信品質検出手段を備える高周波受信装置に用いられるフィルタ回路において、アナログ信号から不要な周波数成分を除去するためのフィルタと、上記受信品質検出手段で検出された受信品質に基づいて、上記フィルタのカットオフ周波数を調整するカットオフ調整手段とを備えることを特徴としている。
【００２０】
上記の構成によれば、上記受信品質検出手段で検出された受信品質に基づいて、上記フィルタのカットオフ周波数を調整するカットオフ調整手段とを備えているので、フィルタのカットオフ周波数を最高の受信品質が得られる最適値に近づけることができる。その結果、高周波受信装置の受信品質を向上できると共に、隣接チャンネルの信号等の妨害信号による妨害に対する高周波受信装置の耐性を向上できる。
【００２１】
なお、本願明細書において、「高周波」とは、無線周波数と同義であり、３ｋＨｚ〜３００ＧＨｚの波長領域を指すものとする。
【００２２】
また、上記フィルタは、典型的には受信したアナログ信号から不要な高周波成分を除去するローパスィルタであるが、ハイパスフィルタやバンドパスフィルタであってもよい。
【００２３】
本発明のフィルタ回路は、上記高周波受信装置が、デジタル信号で変調された高周波のアナログ信号を受信し、受信した高周波のアナログ信号をダウンコンバートする周波数変換器と、上記フィルタからのアナログ信号をデジタル信号に変換するアナログ−デジタル変換器とをさらに備え、上記受信品質検出手段が、上記アナログ−デジタル変換器の出力信号をデジタル復調すると共に、受信品質を検出する復調回路であり、上記フィルタが、ダウンコンバートされたアナログ信号から不要な周波数成分を除去する構成であることが好ましい。これにより、高周波受信装置全体としての受信性能を確実に向上させることができる。
【００２４】
本発明のフィルタ回路において、上記フィルタは、トランスコンダクタンスアンプと、トランスコンダクタンスアンプの出力を受けるキャパシタとを含むＧｍ−Ｃフィルタであり、上記カットオフ調整手段は、上記受信品質検出手段で検出された受信品質に基づいてトランスコンダクタンスアンプの利得を制御するものであることが好ましい。
【００２５】
上記構成によれば、フィルタのカットオフ周波数を精度良く調整することができる。したがって、受信品質をより一層向上できると共に、隣接チャンネルの信号等の妨害信号による妨害に対する耐性をより一層向上できる。
【００２６】
本発明のフィルタ回路において、上記カットオフ調整手段は、上記フィルタのカットオフ周波数を段階的に調整する調整手段と、上記調整手段によって上記フィルタのカットオフ周波数が調整された後に、上記フィルタのカットオフ周波数を、上記カットオフ調整手段による調整よりも細かく調整する微調整手段とを備えていてもよい。
【００２７】
上記構成によれば、フィルタのカットオフ周波数をより一層精度良く調整することができる。したがって、受信品質をより一層向上できると共に、隣接チャンネルの信号等の妨害信号による妨害に対する耐性をより一層向上できる。
【００２８】
本発明のフィルタ回路において、上記カットオフ調整手段は、ある方向にフィルタのカットオフ周波数を変化させるステップを１回実行し、その１回の実行によって受信品質が悪化しない場合には、受信品質が悪化するまで上記ステップを繰り返し実行した後、直前のステップを実行する前の状態に戻す構成であってもよい。
【００２９】
上記構成によれば、フィルタのカットオフ周波数をほぼ確実に最適値あるいはそれに近い値にすることができるので、急激な受信品質の悪化を防止できる。。
【００３０】
本発明のフィルタ回路において、上記カットオフ調整手段は、ある方向にフィルタのカットオフ周波数を所定量だけ変化させるステップを１回実行し、その１回の実行によって受信品質が悪化しない場合には、受信品質が悪化するまで上記ステップを繰り返し実行した後、直前のステップを実行する前の状態に戻し、上記ステップと同じ方向にフィルタのカットオフ周波数を上記所定量より少ない量だけ変化させるステップを受信品質が悪化するまで繰り返し実行した後、直前のステップを実行する前の状態に戻す構成であってもよい。
【００３１】
上記構成によれば、フィルタのカットオフ周波数をほぼ確実に最適値あるいはそれに近い値にすることができるので、急激な受信品質の悪化を防止できる。また、上記構成によれば、フィルタのカットオフ周波数を精度良く調整することができる。したがって、受信品質をより一層向上できると共に、隣接チャンネルの信号等の妨害信号による妨害に対する耐性をより一層向上できる。
【００３２】
本発明のフィルタ回路において、上記カットオフ調整手段は、１ステップごとにフィルタのカットオフ周波数を変化させる量を増大させながら、フィルタのカットオフ周波数を増加させるステップと、フィルタのカットオフ周波数を減少させるステップとを交互に繰り返し所定回数実行した後、各ステップ実行後の状態のうちで受信状態が最も高い状態にする構成であってもよい。
【００３３】
上記構成によれば、フィルタのカットオフ周波数を変化させるステップを実行する回数をある程度決まった回数までに抑えることができるので、フィルタのカットオフ周波数の調整を短時間で行うことができる。
【００３４】
本発明のフィルタ回路は、上記フィルタを複数備え、上記カットオフ調整手段は、上記受信品質検出手段で検出された受信品質に基づいて、上記複数のフィルタのカットオフ周波数を同時に同じ方法で制御する構成であってもよい。
【００３５】
上記構成によれば、簡素な回路および制御方法でフィルタのカットオフ周波数を調整することができる。また、複数のフィルタのカットオフ周波数を同時に制御することで、比較的高い精度で短時間にフィルタのカットオフ周波数を制御できる。
【００３６】
本発明のフィルタ回路は、上記フィルタを複数備え、上記カットオフ調整手段は、上記受信品質検出手段で検出された受信品質に基づいて、上記複数のフィルタのカットオフ周波数を個別に制御する構成であってもよい。
【００３７】
上記構成によれば、フィルタのカットオフ周波数が個別に制御できるので、高周波受信装置内などでの位相ずれがあっても、フィルタのカットオフ周波数をより厳密に調整できる。
【００３８】
本発明のフィルタ回路は、上記フィルタのカットオフ周波数の最適値を保持する記憶手段をさらに備え、上記カットオフ調整手段は、受信動作時に、フィルタのカットオフ周波数を調整した後、その時点でのフィルタのカットオフ周波数を最適値として記憶手段に保持させ、次回の受信動作時に、記憶手段に保持させた最適値にフィルタのカットオフ周波数を設定する構成であってもよい。
【００３９】
上記構成によれば、再受信動作時に、フィルタのカットオフ周波数の調整（最適値の選択）を行う時間をなくすことができる。
【００４０】
本発明のフィルタ回路は、上記フィルタのカットオフ周波数の最適値を保持する記憶手段をさらに備え、上記カットオフ調整手段は、受信動作時に、フィルタのカットオフ周波数を調整した後、その時点でのフィルタのカットオフ周波数を最適値として記憶手段に保持させ、次回の受信動作時に、記憶手段に保持させた最適値を基準値としてフィルタのカットオフ周波数を再調整する構成であってもよい。
【００４１】
上記構成によれば、再受信動作時に、フィルタのカットオフ周波数の調整（最適値の選択）を行う時間を削減できる。
【００４２】
本発明の高周波受信装置は、上記の課題を解決するために、信号で変調された高周波のアナログ信号を受信する高周波受信装置であって、アナログ信号から不要な周波数成分を除去するためのフィルタと、受信品質を検出する受信品質検出手段とを備える高周波受信装置において、上記受信品質検出手段で検出された受信品質に基づいて、上記フィルタのカットオフ周波数を調整するカットオフ調整手段をさらに備えることを特徴としている。
【００４３】
上記構成によれば、上記受信品質検出手段で検出された受信品質に基づいて、上記フィルタのカットオフ周波数を調整するカットオフ調整手段とを備えているので、フィルタのカットオフ周波数を最高の受信品質が得られる最適値に近づけることができる。その結果、受信品質を向上できると共に、隣接チャンネルの信号等の妨害信号による妨害に対する耐性を向上できる。
【００４４】
本発明の高周波受信装置は、デジタル信号で変調された高周波のアナログ信号を受信し、受信した高周波のアナログ信号を局部発振信号と混合することでダウンコンバートする周波数変換器と、サンプリングクロック信号を用いて上記フィルタからのアナログ信号をデジタル信号に変換するアナログ−デジタル変換器と、上記受信品質検出手段は、上記アナログ−デジタル変換器の出力信号をデジタル復調すると共に、受信品質を検出する復調回路であり、上記フィルタは、ダウンコンバートされたアナログ信号から不要な周波数成分を除去するものであってもよい。さらに、本発明の高周波受信装置は、上記局部発振信号を生成する局部発振信号生成手段と、上記サンプリングクロック信号を生成するサンプリングクロック信号生成手段とをさらに備え、上記カットオフ調整手段は、上記受信品質検出手段で検出された受信品質に基づいて、上記フィルタのカットオフ周波数を調整するための制御信号を生成させる制御信号発生器と、上記制御信号に基づいて上記フィルタのカットオフ周波数を調整するカットオフ調整回路とを備え、上記制御信号と、上記サンプリングクロック信号生成手段に入力されて上記サンプリングクロック信号の周波数を制御するサンプリング周波数制御信号と、上記局部発振信号生成手段に入力されて上記局部発振信号の周波数を制御する局部発振周波数制御信号とが、共通のバスで伝送されるようになっていてもよい。
【００４５】
上記構成によれば、フィルタのカットオフ周波数を調整するための制御信号とサンプリング周波数信号とサンプリングクロック制御信号とが共通のバスで伝送されるので、フィルタのカットオフ周波数の制御と、アナログ−デジタル変換器のサンプリング周波数の制御と、局部発振信号の周波数の制御とを行う構成が、容易に実現できる。
【００４６】
本発明のフィルタの制御方法は、上記の課題を解決するために、信号で変調された高周波のアナログ信号を受信する高周波受信装置に用いられ、信号から不要な周波数成分を除去するためのフィルタを制御する制御方法であって、受信品質を検出するステップと、検出された受信品質に基づいて、上記フィルタのカットオフ周波数を調整するステップとを含むことを特徴としている。
【００４７】
上記方法によれば、検出された受信品質に基づいて、上記フィルタのカットオフ周波数を調整するステップを含んでいるので、フィルタのカットオフ周波数を最高の受信品質が得られる最適値に近づけることができる。その結果、高周波受信装置の受信品質を向上できると共に、隣接チャンネルの信号等の妨害信号による妨害に対する高周波受信装置の耐性を向上できる。
【００４８】
本発明のプログラムは、信号で変調された高周波のアナログ信号を受信する高周波受信装置に用いられ、信号から不要な周波数成分を除去するためのフィルタを制御するためのプログラムであって、受信品質を検出するステップ、および検出された受信品質に基づいて、上記フィルタのカットオフ周波数を調整するステップをコンピュータに実行させるためのプログラムである。本発明の記録媒体は、上記プログラムを記録したコンピュータ読み取り可能な記録媒体である。
【００４９】
上記プログラムおよび記録媒体によれば、受信品質を検出するステップ、および検出された受信品質に基づいて、上記フィルタのカットオフ周波数を調整するステップをコンピュータに実行させることができる。したがって、フィルタのカットオフ周波数を最高の受信品質が得られる最適値あるいはそれに近い値に調整できるので、高周波受信装置の受信品質を向上できると共に、隣接チャンネルの信号等の妨害信号による妨害に対する高周波受信装置の耐性を向上できる。
【発明の効果】
【００５０】
本発明のフィルタ回路および高周波受信装置は、以上のように、受信品質検出手段で検出された受信品質に基づいてフィルタのカットオフ周波数を調整するカットオフ調整手段
を備えているので、高周波受信装置の受信品質を向上できると共に、隣接チャンネルの信号等の妨害信号による妨害に対する高周波受信装置の耐性を向上できるという効果を奏する。
【００５１】
本発明のフィルタの制御方法は、以上のように、検出された受信品質に基づいてフィルタのカットオフ周波数を調整するステップを含んでいるので、高周波受信装置の受信品質を向上できると共に、隣接チャンネルの信号等の妨害信号による妨害に対する高周波受信装置の耐性を向上できるという効果を奏する。
【００５２】
本発明のプログラムおよび記録媒体は、以上のように、検出された受信品質に基づいてフィルタのカットオフ周波数を調整するステップをコンピュータに実行させることができるので、周波受信装置の受信品質を向上できると共に、隣接チャンネルの信号等の妨害信号による妨害に対する高周波受信装置の耐性を向上できるという効果を奏する。
【発明を実施するための最良の形態】
【００５３】
〔実施の形態１〕
図１は、本発明の第１の実施の形態に係るフィルタ回路を含む高周波受信装置の概略的構成を示すブロック図である。図１を用いて本実施形態のフィルタ回路を含む高周波受信装置について以下に説明する。これも従来技術と同じくデジタル衛星放送受信装置を例にあげて説明する。
【００５４】
本実施形態の高周波受信装置は、以下の回路構成を備えている。すなわち、本実施形態の高周波受信装置は、図１に示すように、デジタル変調された高周波アナログ信号を外部のアンテナ等から受信する受信端子１、受信端子１で受信した高周波アナログ信号を増幅する増幅回路２および可変増幅回路３、受信信号の中心周波数で局部発振信号を発生する局部発振回路７、局部発振回路７で発生された局部発振信号から互いに直交する２つの局部発振信号（第１および第２の局部発振信号）を発生する９０°移相器（９０°移相回路）６、可変増幅回路３から出力された高周波アナログ信号を、第１および第２の局部発振信号と混合（ミキシング）することによってベースバンド信号に変換し、ベースバンド信号を出力する周波数変換回路（周波数変換器；ミキサ）４および５、周波数変換回路４および５の出力信号から高周波成分を除去するローパスフィルタ１０および１１、ローパスフィルタ１０および１１の出力信号を自動利得制御（ＡＧＣ）の下で増幅してローパスフィルタ１４および１５への出力するＡＧＣアンプ部１２および１３、ＡＧＣアンプ部１２および１３の出力信号から隣接チャンネル等の妨害信号やノイズを除去するローパスフィルタ１４および１５、ローパスフィルタ１４および１５の出力信号を増幅する増幅回路１６および１７、ローパスフィルタ１４および１５から出力されたアナログ信号を、復調回路（Ｄｅｍｏｄ）２０で復調処理するためにデジタル信号に変換するアナログ−デジタル変換器（アナログ−デジタル変換器）１８および１９、および、アナログ−デジタル変換器１８および１９が出力したデジタル信号からデジタル変調された信号を復調する復調回路（受信品質検出手段）２０を備えている。
【００５５】
９０°移相器６は、局部発振回路７で発生された局部発振信号を９０°移相することによってＱ信号を復調するための第２の局部発振信号を発生して出力すると共に、局部発振回路７で発生された局部発振信号をＩ信号を復調するための第１の局部発振信号として出力する。復調回路２０は、アナログ−デジタル変換器１８の出力信号からＩ信号を復調すると共に、アナログ−デジタル変換器１９の出力信号からＱ信号を復調する。
【００５６】
本実施形態の高周波受信装置は、アナログ−デジタル変換器１８におけるアナログ−デジタル変換処理および復調回路２０における復調処理に使用されるサンプリングクロック信号を発生させるサンプリング周波数発振回路２１、局部発振回路７およびサンプリング周波数発振回路２１で発生される局部発振信号の周波数を制御信号発生器２６からの制御信号に従って安定化および制御する第２の位相ロックループ（ＰＬＬ）回路８、サンプリング周波数発振回路２１で発生されるサンプリングクロック信号の周波数を制御信号発生器２６からの制御信号に従って安定化および制御する第１の位相ロックループ（ＰＬＬ）回路２２、位相ロックループ（ＰＬＬ）回路８および２２による制御の基準となる基準信号を発生する２つの基準信号発振器２４をさらに備えている。
【００５７】
本実施形態の高周波受信装置では、局部発振回路７、ＰＬＬ回路８、および基準信号発振器２４によって、局部発振信号生成手段が構成されている。局部発振信号生成手段は、制御信号発生器２６からＰＬＬ回路８に入力されたＰＬＬ回路８の制御信号に基づいて、局部発振信号の周波数を制御する。したがって、ＰＬＬ回路８の制御信号は、局部発振信号の周波数を制御する局部発振周波数制御信号として機能する。
【００５８】
また、本実施形態の高周波受信装置では、サンプリング周波数発振回路２１、ＰＬＬ回路２２、および基準信号発振器２４によって、サンプリングクロック信号生成手段が構成されている。サンプリングクロック信号生成手段は、制御信号発生器２６からＰＬＬ回路２２に入力されたＰＬＬ回路２２の制御信号に基づいて、サンプリングクロック信号の周波数を制御する。したがって、ＰＬＬ回路２２の制御信号は、サンプリングクロック信号の周波数を制御するサンプリング周波数制御信号として機能する。
【００５９】
ここで用いるローパスフィルタ１４，１５は、所望のチャンネルに隣接するチャンネルの信号を除去するフィルタ（チャンネル選択フィルタ）としての役割と、アナログ−デジタル変換器１８のサンプリングによって折り返し雑音が発生することを防止するためのアンチエリアシングフィルタとしての役割とを担っている。
【００６０】
復調回路２０は、受信品質を検出して受信品質を表す受信品質信号５１を出力する機能を備えている。復調回路として一般に用いられる復調ＩＣは、その内部の誤り訂正部で受信品質を数値化して検出するようになっている。誤り訂正部では、例えばビタビ訂正後またはリード・ソロモン訂正後等にビット誤り率などを検出することによって、受信品質を数値化して検出することができる。すなわち、復調回路として一般に用いられる復調ＩＣは、受信品質を数値化して表す受信品質信号５１を出力することができる。したがって、受信品質を検出して受信品質を表す受信品質信号５１を出力する機能を持つ復調回路２０は、復調回路として一般に用いられる復調ＩＣによって実現できる。
【００６１】
本実施形態の高周波受信装置は、制御信号発生器２６およびカットオフ調整回路３８をさらに備えている。本実施形態では、制御信号発生器２６およびカットオフ調整回路３８によってカットオフ調整手段が構成されている。また、本実施形態では、ローパスフィルタ１４，１５、制御信号発生器２６、およびカットオフ調整回路３８によって、フィルタ回路が構成されている。制御信号発生器２６は、その内部に復調回路２０から上記の受信品質を表す受信品質信号５１を取り込むことで、その都度の受信品質の優劣を判断できるようになっている。制御信号発生器２６は、受信品質を数値で表す受信品質信号５１を復調回路２０より取り出し、その受信品質信号５１を元にローパスフィルタ１４，１５のカットオフ周波数を制御するための制御信号４２を発生させ、その制御信号４２をカットオフ調整回路３８に送るようになっている。カットオフ調整回路３８は、制御信号４２によってローパスフィルタ１４，１５のカットオフ周波数を調整する回路である。
【００６２】
次に、本実施形態に係る高周波受信回路の動作について説明する。
【００６３】
まず、デジタル変調された搬送波（デジタル衛星放送波）を受信したアンテナ等から、デジタル変調されたアナログ信号を受信端子１に入力し、入力した信号を増幅回路２にて増幅し、可変増幅回路３にて利得を制御する。その信号を、周波数変換回路４，５にて、受信周波数の中心周波数とほぼ等しい周波数を持つ局部発振信号と混合することによってベースバンド信号にダウンコンバートする。次に、ローパスフィルタ１０，１１にてベースバンド信号から高周波成分を除去し、ローパスフィルタ１０，１１の出力の利得をＡＧＣアンプ部１２および１３にて制御した後、アナログ−デジタル変換器の前段で、カットオフ周波数が制御されたローパスフィルタ１４，１５によって隣接チャンネル等の妨害信号およびノイズを除去する。ローパスフィルタ１４，１５から出力されたアナログ信号をアナログ−デジタル変換器１８，１９にてデジタル信号に変換し、復調回路２０にてデジタル信号からトランスポート信号（デジタル変調されて搬送された所望のチャンネルの信号）を復調し、トランスポート信号を出力する。
【００６４】
妨害信号、特に希望信号のチャンネルに隣接するチャンネルの信号が受信信号に含まれている場合、その影響で希望信号のチャンネルでの受信品質が低下する。そのため、同一のボーレートに対してローパスフィルタ１４，１５のカットオフ周波数を設定値に固定していると、妨害信号の状況によっては、受信品質に影響する可能性がある。例えば受信信号に含まれている隣接チャンネルの信号の強度が強い状況では、受信品質が悪化する可能性がある。
【００６５】
これに対し、本実施形態に係る高周波受信装置では、制御信号発生器２６が、その都度、復調回路２０で検出された受信品質を確認し、その受信品質に応じてローパスフィルタ１４，１５のカットオフ周波数を変更（調整）するようになっている。これにより、ローパスフィルタ１４，１５のカットオフ周波数を最高の受信品質が得られる最適値あるいはそれに近い値に調整でき、受信品質を向上できる。また、受信品質を向上できるようにローパスフィルタ１４，１５のカットオフ周波数を調整することで、結果的に、隣接チャンネルの信号等の妨害信号による妨害に対する耐性を向上できるようにローパスフィルタ１４，１５のカットオフ周波数を調整できる（例えば、ローパスフィルタ１４，１５のカットオフ周波数を、隣接チャンネルの信号等の妨害信号による妨害に対する耐性を向上できるような最適値に調整するように制御信号発生器２６内のプログラムをプログラミングできる）。したがって、受信品質を向上できるだけでなく、隣接チャンネルの信号等の妨害信号による妨害に対する耐性を向上できる。
【００６６】
制御信号発生器２６は、ローパスフィルタ１４，１５のカットオフ周波数を変更するための制御信号４２を発生し、この制御信号４２をカットオフ調整回路３８に送信してカットオフ調整回路３８にローパスフィルタ１４，１５のカットオフ周波数を変更させるようになっている。なお、制御信号発生器２６とカットオフ調整回路３８とは一体化してもよい。
【００６７】
制御信号発生器２６は、ソフトウェアで実現することができる。すなわち、制御信号発生器２６は、コンピュータと、ローパスフィルタ１４，１５のカットオフ周波数を調整する方法の各ステップ（復調回路２０で検出された受信品質を確認（検出）するステップ、および、確認された受信品質に応じてローパスフィルタ１４，１５のカットオフ周波数を調整するステップを少なくとも含む）をコンピュータに実行させるためのプログラムとによって実現可能である。言い換えると、制御信号発生器２６は、コンピュータと、制御信号発生器２６としてコンピュータを機能させるためのプログラムとによって実現可能である。
【００６８】
上記プログラムは、コンピュータで読み取り可能な記録媒体に格納してユーザに提供することができる。これにより、プログラムをコンピュータに容易に提供することができる。この記録媒体は、コンピュータ本体に内蔵された内蔵メディアであってもよいし、コンピュータ本体に対して分離可能に構成されたリムーバブル・メディアであってもよい。上記内蔵メディアとしては、ＲＯＭ；フラッシュメモリ等の書き換え可能な不揮発性メモリ；ハードディスク等が挙げられる。また、上記リムーバブル・メディアとしては、ＣＤ−ＲＯＭ、ＤＶＤ等の光記録媒体；ＭＯ等の光磁気記録媒体；フロッピー（登録商標）ディスク、カセットテープ、リムーバブル・ハードディスク等の磁気記録媒体；メモリカード等のような書き換え可能な不揮発性メモリを内蔵したメディア；ＲＯＭカセット等のようなＲＯＭを内蔵したメディア等が挙げられる。
【００６９】
上記プログラムは、ＣＰＵのアクセスにより実行される構成であってもよいし、記録媒体に格納されているプログラムを読み出し、読み出したプログラムを内蔵メディアのプログラム記憶領域に転送した後、内蔵メディア上のプログラムがＣＰＵのアクセスにより実行される構成であってもよい。また、上記プログラムは、コンピュータで読み取り可能な記録媒体に格納された状態で販売されるものに限定されるものではなく、インターネット等の通信ネットワークを介してユーザのコンピュータに転送する形式で販売されるものであってもよい。
【００７０】
なお、高周波受信装置の入力信号のボーレートは、通常、数Ｍｂａｕｄ〜数１０Ｍｂａｕｄである。そのため、制御信号発生器２６は、ローパスフィルタ１４，１５を効果的に機能させるために、入力信号のボーレートに応じて、ローパスフィルタ１４，１５のカットオフ周波数を調整するようになっている。
【００７１】
〔実施の形態２〕
本発明の第２の実施の形態について図２および図９に基づいて説明すれば、以下の通りである。なお、説明の便宜上、前記実施の形態１にて示した各部材と同一の機能を有する部材には、同一の符号を付記し、その説明を省略する。
【００７２】
図２は、本発明の第２の実施の形態に係るフィルタ回路を含む高周波受信装置の概略的構成を示す。以下、その第２の実施の形態の構成および動作を説明する。
【００７３】
本実施形態では、図１に示す高周波受信装置において、ローパスフィルタ１４，１５を、外部よりカットオフ周波数を制御可能なＧｍ−Ｃフィルタとし、これら２つのＧｍ−Ｃフィルタ（ローパスフィルタ１４，１５）のカットオフ周波数を制御する。トランスコンダクタンスアンプ（電圧を電流に変換するアンプ）の出力にコンデンサを接続すればアクティブフィルタとして動作する。Ｇｍ−Ｃフィルタは、このアクティブフィルタ、すなわちトランスコンダクタンスアンプ（Ｇｍアンプ）とキャパシタ（コンデンサ）とで構成したフィルタである。このＧｍ−Ｃフィルタのカットオフ周波数は、次式
【００７４】
【数１】
2006148708.tif 000003
【００７５】
で表される。この式に表されるように、Ｇｍ−Ｃフィルタのカットオフ周波数は、Ｇｍ−Ｃフィルタ外部からの入力信号でトランスコンダクタンスアンプの利得Ｇｍを変化させることによって、変えることができる。すなわち、本実施形態では、ローパスフィルタ１４，１５は、トランスコンダクタンスアンプと、トランスコンダクタンスアンプの出力を受けるキャパシタとを含むＧｍ−Ｃフィルタであり、カットオフ調整回路３８は、増幅回路２０で検出された受信品質に基づいてトランスコンダクタンスアンプの利得を制御するようになっている。
【００７６】
カットオフ調整回路３８を、ＩＣ（集積回路）内に抵抗およびコンデンサで形成した回路とした場合、ＩＣの製造プロセスのばらつきにより、それぞれの特性値（抵抗値およびキャパシタンス）にばらつきが生じる。典型的なＩＣの製造プロセスでは、抵抗およびコンデンサのそれぞれの特性値（抵抗値およびキャパシタンス）に±１５〜２０％のばらつきが生じる。そのため、ローパスフィルタ１４，１５のカットオフ周波数の調整にばらつきが生じる。
【００７７】
そこで、本実施形態では、図１にあるカットオフ調整回路３８を、図２の点線で囲んだ部分に示すように、水晶発振器等の基準信号発振器２４から発生させた正確な周波数の基準信号（基準周波数信号）、定電流源、Ｇｍ−Ｃフィルタ、定電流制御回路等で構成している。次に、ローパスフィルタ１４，１５のカットオフ周波数を調整するカットオフ調整回路３８の構成について説明する。図２に示すカットオフ調整回路３８は、定電流源を用いた例である。
【００７８】
カットオフ調整回路３８は、この順で直列に接続された、ローパスフィルタ３２、ミキサ回路３３、ローパスフィルタ３４、およびＤＣ（直流）アンプ３５を備えている。また、カットオフ調整回路３８は、定電流源３６、定電流源３７、および調整回路３９を備えている。
【００７９】
制御対象のローパスフィルタ１４，１５と同じＧｍ−Ｃフィルタをカットオフ調整回路３８内のローパスフィルタ３２に用いる（マスタースレーブ方式という）。
【００８０】
基準信号発振器２４（例えば、発振周波数４ＭＨｚの水晶等の既知の基準信号発振器）の発振周波数の変動分をωm、基準信号発振器２４（例えば、発振周波数４ＭＨｚの水晶等の既知の基準信号発振器）の発振周波数をω、基準信号発振器２４の出力信号の振幅をＡ、時間をｔと表した場合、カットオフ調整回路３８への入力信号の電圧Ｖｉｎは、
Ｖｉｎ＝Ａ・ｃｏｓ（ω＋ωm）ｔ
となる。
【００８１】
ローパスフィルタ３２は、信号の位相が、π／２、つまり９０°シフトするように構成されている。それゆえ、上記の入力信号が、マスター側に相当するカットオフ調整回路３８内のＧｍ−Ｃフィルタ、すなわちローパスフィルタ３２に入力されると、ローパスフィルタ３２から、次式
Ｖｓｈｉｆｔ＝Ａ・ｃｏｓ（（ω＋ωm）ｔ＋π／２−αωm）
（αは、定数）
を満たす電圧ｓｈｉｆｔを持つ信号が出力される。
【００８２】
このローパスフィルタ３２から出力された信号がミキサ回路３３で周波数変換されて出力される。ミキサ回路３３から出力される信号の電圧は、次式
ＭＩＸｏｕｔ＝B・Ｖｉｎ・Ｖｓｈｉｆｔ
＝B・A2・cos(ω+ωm)t・cos((ω+ωm)t+π/2-α・ωm)
＝1/2・B・A2・（cos2(ω+ωm)t＋π/2-αωm）＋cos（π/2-αωm）
＝1/2・B・A2・（-sin(2(ω+ωm)t-αωm)+sin(αωm)）
（Ｂは、定数）
となる。
【００８３】
この出力信号が、ローパスフィルタ３４を通ることにより、２（ω＋ωm）成分が除去される。ローパスフィルタ３４の出力信号の電圧Ｖｏｕｔは，
Ｖｏｕｔ＝（１／２）・Ｂ・Ａ２・ｓｉｎ（αωm）
となる。
【００８４】
このローパスフィルタ３４の出力信号がＤＣアンプ３５を経てループバックすることにより、ＭＩＸｏｕｔ＝０になるように制御される。このときにＤＣアンプ３５の出力信号を定電流源３６の制御信号とするだけでなく、定電流源３７の制御信号とする。これにより、定電流源３７の制御信号の電圧の精度を高めることができる。そして、定電流源３７は、ＤＣアンプ３５の出力信号を制御信号として用いて定電流を出力することによって、基準信号発振器２４の出力信号に応じた定電流を出力する。定電流源３７は、基準信号発振器２４の出力信号から、定電流を直接生成して調整回路３９に出力するものである。したがって、定電流源３７は、多数のカレントミラー回路やＭＯＳ−ＦＥＴが用いられるスイッチ回路を備えていない。それゆえ、定電流源３７は、スイッチ回路を備える電流源と比較して、出力する電流値の誤差が抑制される。
【００８５】
調整回路３９は、この定電流を制御信号４２（定電流調整信号）により制御する。調整回路３９は、カレントミラー回路を基本としたスイッチ回路を用いており、所望の周波数にあわせて、スイッチを切り替えて、定電流源３７から供給された定電流を制御して、ローパスフィルタ１４，１５の制御信号として用いることで、Ｇｍ−Ｃフィルタのカットオフ周波数の制御を行うことが可能となる。
【００８６】
調整回路３９は、制御信号発生器２６からの制御信号４２に基づいてローパスフィルタ１４，１５のカットオフ周波数を目的のカットオフ周波数（基準信号発振器２４の発振周波数のＮ倍；Ｎは自然数）に制御するためのものである。調整回路３９は、ローパスフィルタ１４，１５のカットオフ周波数を切り替えるための電流切り替えスイッチとして機能する。調整回路３９では、上記カットオフ周波数の制御のために、カレントミラー回路内部の複数のＭＯＳ−ＦＥＴ（スイッチ）の切り替えが制御信号発生器２６からの制御信号４２に基づいて制御され、その結果として定電流源３７から供給された基準の定電流がＮ倍に制御される。調整回路３９は、カレントミラー回路で構成され、カレントミラー回路の内部に複数のＭＯＳ−ＦＥＴを備えるものである。調整回路３９は、ローパスフィルタ１４，１５のカットオフ周波数が目的のカットオフ周波数になるように、定電流源３７から供給された基準の定電流をカレントミラー回路の複数個のＭＯＳ−ＦＥＴの組み合わせによって電流を制御するものである。
【００８７】
調整回路３９は、基準の定電流をカレントミラー回路の複数個のＭＯＳ−ＦＥＴの組み合わせで制御する（Ｎ倍する）回路によって、容易に実現できる。調整回路３９の構成例を図９に示す。
【００８８】
この例の調整回路３９は、図９に示すように、端子ＩＢ＿ＩＮ、端子ＩＢ＿ＯＵＴ、制御端子ＳＷ１、および制御端子ＳＷ２を備えている。端子ＩＢ＿ＩＮは、定電流源３７の出力電流が入力される端子である。ここでは、端子ＩＢ＿ＩＮに、電流値Ｉ１の電流が流れ込んでいるとする。また、端子ＩＢ＿ＯＵＴは、電流をローパスフィルタ１４，１５へ出力するための端子である。また、制御端子ＳＷ１・ＳＷ２は、複数個のＭＯＳ−ＦＥＴにそれぞれ接続されている。制御端子ＳＷ１・ＳＷ２には、それぞれ独立してＨｉｇｈまたはＬｏｗの電圧（制御信号４２）が制御信号発生器２６から入力される。
【００８９】
この例の調整回路３９は、電流をローパスフィルタ１４，１５内の必要とされる場所に供給するためのものであり、図９に示すように、カレントミラー回路と複数個（図９では２個）のｎ−ＭＯＳＦＥＴとを備えている。
【００９０】
図９において、Ｘ２と示されたＮＰＮトランジスタ以外のＮＰＮトランジスタは、互いに同一の形状およびサイズを持ち、ＰＮＰトランジスタは、互いに同一の形状およびサイズを持つものとする。また、Ｘ２と示されたＮＰＮトランジスタは、それ以外のＮＰＮトランジスタに対してエミッタ面積が２倍（もしくは２個並列）であるとする。また、抵抗素子ＲＸ２の抵抗値は、抵抗素子Ｒ２の１／２とする。
【００９１】
この条件において、制御端子ＳＷ１・ＳＷ２の電位が共にｌｏｗでｎ−ＭＯＳＦＥＴがＯＦＦのときには、図９中の電流の関係は、
Ｉ２＝Ｉ１
Ｉ３＝２×Ｉ１
となる。また、制御端子ＳＷ１の電位をｈｉｇｈにしたときには、Ｉ２＝０となる。また、制御端子ＳＷ２をｈｉｇｈにしたときにはＩ３＝０となる。
【００９２】
したがって、端子ＩＢ＿ＯＵＴの出力電流は、制御端子ＳＷ１・ＳＷ２のｈｉｇｈ／ｌｏｗの組み合わせによって、以下の表に示すように、定電流源３７の出力電流の１倍、２倍、および３倍に切り替えられる。
【００９３】
【表１】
2006148708.tif 000004
【００９４】
定電流源３７の出力電流の何倍の電流をローパスフィルタ１４，１５に供給すれば、ローパスフィルタ１４，１５のカットオフ周波数が何ＭＨｚなるかは、回路設計時にシュミレーションで確認すればよい。以上のようにして、ローパスフィルタ１４，１５のカットオフ周波数を３種類の周波数間で調整することができる。
【００９５】
この例の調整回路３９では、ローパスフィルタ１４，１５への供給電流を、定電流源３７の出力電流の１倍、２倍、および３倍のいずれかに制御するようになっていたが、ｎ−ＭＯＳＦＥＴ、カレントミラー回路、および制御端子の数を増やしていけば、定電流源３７の出力電流に対して所望の倍数の定電流を出力することができる。したがって、ローパスフィルタ１４，１５のカットオフ周波数を４種類以上の周波数間で調整することができる。
【００９６】
なお、特許文献２の図５に従来技術として記載されている高周波受信装置では、水晶発振器などの基準信号発振器で発生させた正確な周波数（同図では４ＭＨｚ）の基準周波数信号を基にした信号を入力信号とする定電流源を設け、定電流源が出力する定電流を制御回路で変化させることにより、ローパスフィルタ１４，１５のカットオフ周波数を設定している。したがって、調整回路３９として、特許文献２の図５に記載の制御回路をそのまま使用することができる。また、調整回路３９に定電流を供給する手段としては、図２に示す手段に限定されるものではなく、一般的な水晶発振器（例えば発振周波数４ＭＨｚ）を基準信号として定電流を発生するものが広く使用できる。
【００９７】
以上のようにして、本実施形態に係る高周波受信装置では、基準信号発振器２４の周波数から定電流源３７で精度良く定電流を作り、その定電流の倍数の電流を調整回路３９で作成することで、ローパスフィルタ１４，１５のカットオフ周波数を切り替えることができる。ただし、倍数制御を行う調整回路３９では、抵抗素子の抵抗値やコンデンサの特性値の誤差等のばらつきにより、調整回路３９の出力電流の精度が若干落ちる可能性がある。そこで、調整回路３９の出力電流を細かく調整する手段を設けて調整回路３９の出力電流を補正してもよい。これにより、出力電流の精度を向上させることができる。目的の信号に近接する妨害信号が存在する状況の場合、復調回路２０で受信品位を判断し、その判断結果に基づいて調整回路３９の出力電流を細かく補正すれば、妨害信号に対する耐性を向上させることができる。
【００９８】
また、特許文献２に記載されているサンプリングクロック信号を分周（１／Ｎ分周）する分周回路を設け、調整回路３９を省略することもできる。上記分周回路４１は、サンプリング周波数発振回路２１で発生する所定の周波数の局部発振信号、すなわちアナログ−デジタル変換器１８・１９のサンプリングクロック信号を分周（１／Ｎ分周）し、ローパスフィルタ１４・１５のカットオフ周波数の制御目標と等しい周波数の定電流基準信号を生成する。また、この場合、制御信号発生器２６は、サンプリングクロック信号の分周比を決める制御信号を発生して分周回路４１に入力する。
【００９９】
この構成でも、復調回路２０で受信品位を判断し、その判断結果に基づいてローパスフィルタ１４，１５のカットオフ周波数を補正すれば、ローパスフィルタ１４，１５のカットオフ周波数の制御をより一層好ましいものにできる。
【０１００】
本実施形態に係る高周波受信装置では、基準信号発振器２４からの基準信号を用いると共に定電流源３７を用いてカットオフ調整回路３８を構成することで、ローパスフィルタ１４，１５のカットオフ周波数の調整精度を高めることができる。すなわち、制御信号発生器２６が、その都度、この復調回路２０での受信品質をあらわす受信品質信号５１を確認し、その受信品質に応じて、制御信号４２によって図２の調整回路３９を制御することによって、ローパスフィルタ１４，１５のカットオフ周波数を精度良く変更（調整）することができる。その結果、受信品質を向上できる。また、受信品質を向上できるようにローパスフィルタ１４，１５のカットオフ周波数をより一層精度良く調整することで、結果的に、隣接チャンネルの信号等の妨害信号による妨害に対する耐性を向上できるようにローパスフィルタ１４，１５のカットオフ周波数をより一層精度良く調整できる（例えば、制御信号発生器２６で復調回路２０で検出される受信品質を検知（モニタ）して、ローパスフィルタ１４，１５のカットオフ周波数を、隣接チャンネルの信号等の妨害信号による妨害に対する耐性を向上できるような最適値に調整するように制御信号発生器２６内のプログラムをプログラミングできる）。したがって、受信品質をより一層向上できるだけでなく、隣接チャンネルの信号等の妨害信号による妨害に対する耐性をより一層向上できる。
【０１０１】
〔実施の形態３〕
本発明の第３の実施の形態について図３に基づいて説明すれば、以下の通りである。なお、説明の便宜上、前記実施の形態１にて示した各部材と同一の機能を有する部材には、同一の符号を付記し、その説明を省略する。
【０１０２】
図３は、本発明の第３の実施の形態に係るフィルタ回路を含む高周波受信装置の概略的構成を示す。以下、その第３の実施の形態の構成および動作を説明する。
【０１０３】
本実施形態に係る高周波受信装置は、図２に示す調整回路３８を備える高周波受信装置に対して微調整回路４０を追加した以外は、図２に示す高周波受信装置と同一の構成を備えている。本実施形態では、制御信号発生器２６およびカットオフ調整回路３８によって調整手段が構成され、制御信号発生器２６および微調整回路４０によって微調整手段が構成され、調整手段および微調整手段によってカットオフ調整手段が構成されている。また、本実施形態では、ローパスフィルタ１４，１５、制御信号発生器２６、カットオフ調整回路３８、および微調整回路４０によって、フィルタ回路が構成されている。
【０１０４】
微調整回路４０は、調整回路３８によってローパスフィルタ１４，１５のカットオフ周波数が調整（あるいは設定）された後に、ローパスフィルタ１４，１５のカットオフ周波数を、調整回路３８による調整よりも細かく調整するものである。微調整回路４０は、調整回路３８内の定電流源３７よりもさらに出力電流値の小さい定電流源と切替回路（スイッチなど）とで容易に構成できる。制御信号発生器２６は、ローパスフィルタ１４，１５のカットオフ周波数を微調整するための微調整用信号４３を微調整回路４０に送信することで、微調整回路４０にローパスフィルタ１４，１５のカットオフ周波数を微調整させる。
【０１０５】
本実施形態では、制御信号発生器２６が、その都度、復調回路２０で検出された受信品質を確認し、その受信品質に応じてローパスフィルタ１４，１５のカットオフ周波数を変更（調整）した後、さらに、その受信品質に応じて最初の変更（調整）よりも細かい単位でローパスフィルタ１４，１５のカットオフ周波数を変更（微調整）するようになっている。これにより、ローパスフィルタ１４，１５のカットオフ周波数をより一層精度良く調整することができる。したがって、受信品質をより一層向上できる。また、受信品質を向上できるようにローパスフィルタ１４，１５のカットオフ周波数をより一層精度良く調整することで、結果的に、隣接チャンネルの信号等の妨害信号による妨害に対する耐性を向上できるようにローパスフィルタ１４，１５のカットオフ周波数をより一層精度良く調整できる（例えば、制御信号発生器２６で復調回路２０で検出される受信品質を検知（モニタ）して、ローパスフィルタ１４，１５のカットオフ周波数を、隣接チャンネルの信号等の妨害信号による妨害に対する耐性を向上できるような最適値に調整するように制御信号発生器２６内のプログラムをプログラミングできる）。したがって、受信品質をより一層向上できるだけでなく、隣接チャンネルの信号等の妨害信号による妨害に対する耐性をより一層向上できる。
【０１０６】
また、以上のように、実施の形態１〜３では、ローパスフィルタ１４，１５のカットオフ周波数を調整する（最適値を求める）ときに、共通のカットオフ調整手段（制御信号発生器２６、定電流源３７を含むカットオフ調整回路３８、および微調整回路４０）でローパスフィルタ１４，１５のカットオフ周波数を同じ値で（同じ方法で）制御している。すなわち、実施の形態１〜３におけるカットオフ調整手段（制御信号発生器２６、定電流源３７を含むカットオフ調整回路３８、および微調整回路４０）は、復調回路２０で検出された受信品質に基づいて、ローパスフィルタ１４，１５のカットオフ周波数を同時に同じ方法で制御するようになっている。これによって、より簡素な回路および制御方法で、ローパスフィルタ１４，１５のカットオフ周波数を調整する（最適値を求める）ことができる。また、カットオフ調整手段は、複数のローパスフィルタ１４，１５のカットオフ周波数を順次調整する手段であってもよいが、複数のローパスフィルタ１４，１５のカットオフ周波数を同時に制御することで、比較的高い精度で短時間にローパスフィルタ１４，１５のカットオフ周波数を制御できる。この構成を、Ｇｍ−Ｃフィルタを用いた実施の形態２の構成に適用した場合、基準信号発振器２４からの基準信号を元に定電流を発生させてローパスフィルタ１４，１５のカットオフ周波数を制御できる。
【０１０７】
〔実施の形態４〕
本発明の第４の実施の形態について図４に基づいて説明すれば、以下の通りである。なお、説明の便宜上、前記実施の形態１にて示した各部材と同一の機能を有する部材には、同一の符号を付記し、その説明を省略する。
【０１０８】
図４は、本発明の第４の実施の形態に係るフィルタ回路を含む高周波受信装置の概略的構成を示す。以下、その第４の実施の形態の構成および動作を説明する。
【０１０９】
実施の形態１〜３では、複数のローパスフィルタ（例では２つのローパスフィルタ１４，１５）を、同時に、かつ、同じ信号で（同じ方法で）、制御する場合について説明した。しかしながら、別個の微調整回路を各々のフィルタごとに設けてもよい。すなわち、制御信号発生器２６、カットオフ調整回路、および微調整回路からなるカットオフ調整手段は、復調回路２０で検出された受信品質に基づいて、複数のローパスフィルタ（例では２つのローパスフィルタ１４，１５）のカットオフ周波数を個別に制御するものであってもよい。
【０１１０】
本実施形態の高周波受信装置は、実施の形態３の高周波受信装置に対して、定電流源と切替回路と含む微調整回路を追加した構成である。すなわち、本実施形態に係る高周波受信装置は、図３に示す高周波受信装置において微調整回路４０に代えて微調整回路４４・４５を設けた点以外は、図３に示す高周波受信装置と同一の構成を備えている。本実施形態では、制御信号発生器２６およびカットオフ調整回路３８によって調整手段が構成され、制御信号発生器２６および微調整回路４４・４５によって微調整手段が構成され、調整手段および微調整手段によってカットオフ調整手段が構成されている。また、本実施形態では、ローパスフィルタ１４，１５、制御信号発生器２６、カットオフ調整回路３８、および微調整回路４４・４５によって、フィルタ回路が構成されている。微調整回路４４はローパスフィルタ１５のカットオフ周波数を制御するものであり、微調整回路４５はローパスフィルタ１４のカットオフ周波数を制御するものである。
【０１１１】
本実施形態の構成では、ローパスフィルタ１４，１５のカットオフ周波数が個別に制御できるので、高周波受信装置内などでの位相ずれがあっても、より厳密に最適な設定を求めることができる。
【０１１２】
次に、今までは、諸信号に関して、特に触れてはいないが、共通のバスを通じて高周波受信装置の各部を制御できるようにしてもよい。例えば、ローパスフィルタ１４，１５のカットオフ周波数を制御するカットオフ調整回路３８と、他の回路とを、共通のバスを通じて制御してもよい。これにより、制御が容易になるという効果がある。さらに、ＰＬＬ回路８・２２の制御、ローパスフィルタ１４，１５のカットオフ周波数の制御、アナログ−デジタル変換回路１８・１９のサンプリング周波数の制御などの全ての制御を共通のバスを使用して行ってもよい。これにより、制御がさらに容易になる。
【０１１３】
また、高周波受信装置においては、制御信号発生器２６から出力される制御信号４２と、ＰＬＬ回路２２の制御信号（サンプリング周波数制御信号）とを、共通のバスで伝送するようにしてもよい。これによれば、制御信号４２とＰＬＬ回路２２の制御信号とが共通のバスで伝送されるので、ローパスフィルタ１４，１５のカットオフ周波数の制御と、アナログ−デジタル変換回路１８・１９のサンプリング周波数の制御とを行う構成を簡略化することができる。
【０１１４】
また、高周波受信装置においては、制御信号発生器２６が、さらにＰＬＬ回路８の制御信号を発生してＰＬＬ回路８に入力するようになっている。従って、この場合に、制御信号４１とＰＬＬ回路２２の制御信号とに共通なバスでさらにＰＬＬ回路８の制御信号（局部発振周波数制御信号）を伝送するようにしてもよい。これによれば、ＰＬＬ回路８の制御信号が、制御信号４１とＰＬＬ回路２２の制御信号との共通のバスでさらに伝送されるので、ローパスフィルタ１４，１５のカットオフ周波数の制御と、アナログ−デジタル変換回路１８・１９のサンプリング周波数の制御と、周波数変換回路４，５で使用される局部発振信号の周波数の制御とを行う構成が簡略化される。
【０１１５】
なお、上記共通バスとしては、Ｉ２Ｃバス（Inter IntegratedCircuit) と呼ばれるバスを用いることができる。このＩ２Ｃバスは、クロック信号伝送用信号線と、データ信号伝送用信号線との２本の信号線を備えるものである。このＩ２Ｃバスは、複数の回路（ＩＣなど）と接続して、同じ信号によって複数の制御対象の回路を個別に制御することが可能である。
【０１１６】
また、制御信号発生器２６は、ＰＬＬ回路８の制御信号とＰＬＬ回路２２の制御信号とを兼ねる制御信号を生成する構成であってもよい。これによれば、ＰＬＬ回路８の制御信号とＰＬＬ回路２２の制御信号とを制御信号発生器２６から同じ制御信号として供給するので、構成を簡略化することができるとともに、コストを削減することができる。
【０１１７】
〔カットオフ周波数の調整方法〕
次に、実施の形態１〜４に係る高周波受信装置において、制御信号発生器２６が、ローパスフィルタ１４，１５のカットオフ周波数を調整する（カットオフ周波数の最適値をサーチする）方法（アルゴリズム）の例を図５および図６のフローチャートに示す。
【０１１８】
図５に示す第１の例の方法では、最適値のサーチを開始すると、まず、ローパスフィルタ１４，１５のカットオフ周波数を任意の決めた値シフトさせる（Ｓ３）。そのときの復調回路２０で検出された受信品質を制御信号発生器２６で検知することで、受信品質が向上したかどうかを判断する（Ｓ４）。この時点で、ローパスフィルタ１４，１５のカットオフ周波数をシフトする前後で、受信品質が同等、もしくは向上した（受信品質が悪化した）ならば、さらにローパスフィルタ１４，１５のカットオフ周波数をシフトさせ（Ｓ３）、受信品質が悪化するまで繰り返す。Ｓ４で受信品質が悪化したと判断すると、ローパスフィルタ１４，１５の値を最後のカットオフ周波数の値より１ステップ戻し（Ｓ５）、そのときの値を最適値とし（必要に応じて記憶手段に保持し）、最適値のサーチを終了する。
【０１１９】
上記の方法について、さらに詳細に説明する。
図５に示す第１の例の方法では、まず、ある方向（以下、基本方向と称する）にローパスフィルタ１４，１５のカットオフ周波数を初期値もしくは基準値から所定値だけ変化させるステップを１回実行し（Ｓ１）、その１回の実行によって受信品質が悪化したか否かを判定する（Ｓ２）。
【０１２０】
その１回の実行によって受信品質が悪化しなかった場合（Ｓ２でＮＯの場合）には、受信品質が悪化するまで上記ステップを繰り返し実行した後、Ｓ８に進む。すなわち、基本方向と同一の方向にローパスフィルタ１４，１５のカットオフ周波数を所定値だけ変化させるステップを実行し（Ｓ６）、その１回の実行によって受信品質が悪化したか否かを判定し（Ｓ７）、受信品質が悪化しない場合にはＳ６に戻って上記ステップを再度実行し、受信品質が悪化した場合にはＳ８に進む。その後、Ｓ８において、ローパスフィルタ１４，１５のカットオフ周波数を直前のステップを実行する前の値に戻す。
【０１２１】
一方、上記１回の実行によって受信品質が悪化した場合（Ｓ２でＹＥＳの場合）には、受信品質が悪化するまで上記ステップと異なる方向にローパスフィルタ１４，１５のカットオフ周波数を所定量だけ変化させるステップを繰り返し実行した後、Ｓ５に進む。すなわち、基本方向と逆の方向にローパスフィルタ１４，１５のカットオフ周波数を所定値だけ変化させるステップを実行し（Ｓ３）、その１回の実行によって受信品質が悪化したか否かを判定し（Ｓ４）、受信品質が悪化しない場合にはＳ３に戻って、基本方向と逆の方向にローパスフィルタ１４，１５のカットオフ周波数を所定値だけ変化させるステップを再度実行し、受信品質が悪化した場合にはＳ５に進む。その後、Ｓ５において、ローパスフィルタ１４，１５のカットオフ周波数を直前のステップを実行する前の値に戻す。
【０１２２】
この方法は、この方法をコンピュータに実行させるように制御信号発生器２６内のプログラムをプログラミングすることによって実現できる。
【０１２３】
また、図６に示す第２の例の方法では、受信品質を元に最適値をサーチするのは図５と同様であるが、図５に示す方法の各ステップ（Ｓ１〜Ｓ５、あるいはＳ１・Ｓ２・Ｓ６〜Ｓ８）を行った後に、次の段階として、さらに、カットオフ周波数のシフト量を小さくしてそこで判断したカットオフ周波数の値からローパスフィルタ１４，１５のカットオフ周波数をシフトさせる。
【０１２４】
上記の方法について、さらに詳細に説明する。
図５に示す第２の例の方法では、まず、Ｓ１を実行し、受信品質が悪化したか否かを判定する（Ｓ２）。
【０１２５】
Ｓ１の実行によって受信品質が悪化しなかった場合（Ｓ２でＮＯの場合）には、Ｓ６〜Ｓ８を実行した後、受信品質が悪化するまで上記ステップを繰り返し実行し、Ｓ１４に進む。すなわち、基本方向と同一の方向にローパスフィルタ１４，１５のカットオフ周波数を所定値だけ変化させるステップを実行し（Ｓ１２）、それによって受信品質が悪化したか否かを判定し（Ｓ１３）、受信品質が悪化しない場合にはＳ１２に戻って上記ステップを再度実行し、受信品質が悪化した場合にはＳ１４に進む。その後、Ｓ１４において、ローパスフィルタ１４，１５のカットオフ周波数を直前のステップを実行する前の値に戻す。
【０１２６】
一方、Ｓ１の実行によって受信品質が悪化した場合（Ｓ２でＹＥＳの場合）には、Ｓ３〜Ｓ５を実行した後、受信品質が悪化するまで上記ステップと異なる方向にローパスフィルタ１４，１５のカットオフ周波数を所定量より小さい値だけ変化させるステップを繰り返し実行し、Ｓ１１に進む。すなわち、基本方向と逆の方向にローパスフィルタ１４，１５のカットオフ周波数を所定値より小さい値だけ変化させるステップを実行し（Ｓ９）、それによって受信品質が悪化したか否かを判定し（Ｓ１０）、受信品質が悪化しない場合にはＳ９に戻って、基本方向と逆の方向にローパスフィルタ１４，１５のカットオフ周波数を所定値より少ない値だけ変化させるステップを再度実行し、受信品質が悪化した場合にはＳ１１に進む。その後、Ｓ１１において、ローパスフィルタ１４，１５のカットオフ周波数を直前のステップを実行する前の値に戻す。
【０１２７】
この方法も、この方法をコンピュータに実行させるように制御信号発生器２６内のプログラムをプログラミングすることによって実現できる。
【０１２８】
なお、受信品質を表すパラメータは、一般に小さい値であり、例えばビタビ訂正後に検出したビット誤り率である場合には１０の−６乗〜−３乗である。そのため、復調回路２０で測定される受信品質を表すパラメータには、ある程度ばらつきが見られる。そのため、復調回路２０は、受信品質を表すパラメータ（ビット誤り率等）の複数回の測定値を平均化した値を、受信品質を表す値として出力するようになっていることが好ましい。これにより、制御信号発生器２６が、受信品質をより正確に表す信号を復調回路２０から取得することができ、その結果としてローパスフィルタ１４，１５のカットオフ周波数の調整をより正確に行うことができる。
【０１２９】
また、上述したように復調回路２０で測定される受信品質を表すパラメータには、ある程度ばらつきが見られるために、受信品質が同程度である（実質的に変化していない）のに、受信品質が悪化したと判断してしまう恐れがある。そこで、制御信号発生器２６では、受信品質が悪化したかどうかの判断基準にある程度の許容範囲を設けて、許容範囲内では受信品質が悪化していない（実質的に変化していない）と判断することが好ましい。
【０１３０】
また、図５および図６に示す方法において、ローパスフィルタ１４，１５のカットオフ周波数を最初に変化させる方向は、ローパスフィルタ１４，１５のカットオフ周波数を上昇させる方向であってもよく、ローパスフィルタ１４，１５のカットオフ周波数を低下させる方向であってもよい。
【０１３１】
これはあくまでも一例であり、当業者であれば、これに類似した方法、応用例が容易に多数考えうる。
【０１３２】
次に、図７および図８に、本発明の実施の形態に係るフィルタ回路のカットオフ周波数最適値サーチのイメージ図を示す。図７は、図５に示す方法でフィルタ回路のカットオフ周波数の最適値をサーチしたときの、カットオフ周波数の変化を表すグラフである。図７の例は、ローパスフィルタ１４，１５のカットオフ周波数を＋側（基本方向）へ所定値だけシフト（Ｓ１）したら、受信品質が悪化したので、ローパスフィルタ１４，１５のカットオフ周波数を−側（基本方向の逆方向）にシフト（Ｓ３）していった場合である。また、図７の例は、ローパスフィルタ１４，１５のカットオフ周波数を−側に所定値ずつシフトしていくことで、受信品質の改善が見られ、ローパスフィルタ１４，１５のカットオフ周波数をある周波数までシフトした時点で受信品質が悪化したので、ローパスフィルタ１４，１５のカットオフ周波数を所定値（１ステップ）だけ＋側に戻し、その時の値を最適値と見なした場合である。
【０１３３】
図５および図６に示す方法では、ローパスフィルタ１４，１５のカットオフ周波数のシフト量の単位（ステップ量）にもよるが、ローパスフィルタ１４，１５のカットオフ周波数をほぼ確実に最適値あるいはそれに近い値にすることができるので、急激な受信品質の悪化が無い。そのため、例えばトランスポート信号に基づいて映像を表示装置に表示させながらローパスフィルタ１４，１５のカットオフ周波数を微調整（または調整）する場合にも、映像を乱れさせることなく、ローパスフィルタ１４，１５のカットオフ周波数の最適値をサーチすることができる。
【０１３４】
また、図６に示す方法は、精度を求めるときに有効である。すなわち、図６に示す方法は、ローパスフィルタ１４，１５のカットオフ周波数を調整した上で、微調整を行う方法であるため、より高い精度でローパスフィルタ１４，１５のカットオフ周波数を調整できる。その結果、より一層受信品質を向上させることができる。
【０１３５】
図８は、本発明の実施の一形態に係るフィルタ回路のカットオフ周波数の最適値をサーチする方法（アルゴリズム）の第３の例を説明するための説明図であり、その方法でフィルタ回路のカットオフ周波数の最適値をサーチしたときの、カットオフ周波数の変化を表すグラフである。この第３の例に係るフィルタのカットオフ周波数の調整方法（最適値調整方法）は、＋１、−１、＋２、−２、＋３、−３ステップ・・・・・というようにカットオフ周波数のステップ（基準値からのシフト量）を増やしていくやり方で、何段階かカットオフ周波数のステップを増やしていき、復調回路２０で検出された受信品質が最良になるカットオフ周波数（最適値）を探して行く方法（アルゴリズム）である。
【０１３６】
このフィルタのカットオフ周波数の調整方法では、復調回路２０で検出された受信品質を元にカットオフ周波数をサーチの初期値を中心に、初期値もしくは基準値を中心に上下に徐々にステップさせて、復調回路２０で検出された受信品質が最も良かったときのカットオフ周波数の値を最適値とする。すなわち、この方法では、制御信号発生器２６が、１ステップごとにカットオフ周波数を変化させる量を増大させながら、カットオフ周波数を増加させるステップと、カットオフ周波数を減少させるステップとを交互に繰り返し所定回数実行した後、各ステップ実行後の状態のうちで受信品質が最も高い状態に戻す。より詳細には、カットオフ周波数の初期値（あるいは基準値）をＡ、カットオフ周波数のシフト量の最小単位（ステップ）をａとすると、制御信号発生器２６が、カットオフ周波数をＡからａだけ増加させるステップ、カットオフ周波数を２ａだけ減少させるステップ、カットオフ周波数を３ａだけ増加させるステップ、カットオフ周波数を４ａだけ減少させるステップ、カットオフ周波数を５ａだけ増加させるステップ、カットオフ周波数を６ａだけ減少させるステップ、・・・をこの順で実行する（ただし、実行するステップの数は所定回数とする）。言い換えると、制御信号発生器２６は、カットオフ周波数をＡからＡ＋ａに変化させるステップ、カットオフ周波数をＡ＋ａからＡ−ａに変化させるステップ、カットオフ周波数をＡ−ａからＡ＋２ａに変化させるステップ、カットオフ周波数をＡ＋２ａからＡ−２ａに変化させるステップ、カットオフ周波数をＡ−２ａからＡ＋３ａに変化させるステップ、カットオフ周波数をＡ＋３ａからＡ−３ａに変化させるステップ、・・・をこの順で実行する（ただし、実行するステップの数は所定回数とする）。そして、制御信号発生器２６は、各ステップの実行後の時における受信品質の値を取得し、取得した受信品質の値のうちで最も高い受信品質の値に対応するカットオフ周波数の値を最適値と判定し、カットオフ周波数をその最適値にする。
【０１３７】
この方法は、第１および第２の例の方法を実現する回路と同様の回路で、プログラムのみを工夫することによって実現できる。この方法は、ある程度決まった回数のサーチを行い、そのサーチした値の範囲内で受信品質を比較して最適と思われる値を選択する方法である。そのため、この方法は、ローパスフィルタ１４,１５のカットオフ周波数の最適値のサーチを短い時間で行いたい場合に有効である。言い換えると、この方法は、ローパスフィルタ１４,１５のカットオフ周波数の調整を短時間で行えるという利点がある。
【０１３８】
今まで述べてきたローパスフィルタ１４,１５のカットオフ周波数の最適値をサーチする方法において、一度最適値をサーチした結果（最適値）をメモリなどの記憶手段に保持しておき、その最適値を次回の動作時にそのまま利用してもよい。すなわち、フィルタ回路は、ローパスフィルタ１４,１５のカットオフ周波数の最適値を保持する記憶手段をさらに備え、制御信号発生器２６は、受信動作時に、ローパスフィルタ１４,１５のカットオフ周波数を調整した後、その時点でのローパスフィルタ１４,１５のカットオフ周波数を最適値として記憶手段に保持させ、次回の受信動作時に、記憶手段に保持させた最適値にローパスフィルタ１４,１５のカットオフ周波数を設定するようになっていてもよい。これによって、再動作時に、ローパスフィルタ１４,１５のカットオフ周波数の調整（最適値の選択）を行う時間をなくすことができる。
【０１３９】
また、今まで述べてきたローパスフィルタ１４,１５のカットオフ周波数の最適値をサーチする方法において、一度最適値をサーチした結果（最適値）をメモリなどの記憶手段に保持しておき、その最適値を次回の再調整時のスタート値とするようにしてもよい。すなわち、フィルタ回路は、ローパスフィルタ１４,１５のカットオフ周波数の最適値を保持する記憶手段をさらに備え、制御信号発生器２６は、受信動作時に、ローパスフィルタ１４,１５のカットオフ周波数を調整した後、その時点でのローパスフィルタ１４,１５のカットオフ周波数を最適値として記憶手段に保持させ、次回の受信動作時に、記憶手段に保持させた最適値を基準値としてローパスフィルタ１４,１５のカットオフ周波数を再調整するようになっていてもよい。これによって、再動作時にローパスフィルタ１４,１５のカットオフ周波数の調整（最適値の選択）を行う時間を削減できる。
【０１４０】
以上のように、本発明の高周波受信装置およびフィルタ回路では、フィルタ（１４・１５）のカットオフ周波数の精度だけでなく、フィルタ（１４・１５）のカットオフ周波数を、受信品質を考慮して考えた上で最適と判断される状態に調整するようになっている。すなわち、本発明の高周波受信装置およびフィルタ回路では、復調回路（２０）で検出される受信品質をあらわす受信品質信号５１を用いて、アナログ−デジタル変換器（１８・１９）の前段に用いられるフィルタ（１４・１５）のカットオフ周波数を制御するようになっている。これにより、受信品質、および隣接信号に対する耐性の向上を図ることができる。すなわち、最良の受信感度、および隣接妨害除去特性を得られる高周波受信装置およびフィルタ回路を提供することができる。また、フィルタ（１４・１５）のカットオフ周波数を制御する一連のアルゴリズムをソフトによってプログラマブルにすることで、複数のアルゴリズムなどを選択して採用することができ、また、急激な回路規模の増加を抑えることができる。その上、フィルタとしてＧｍ−Ｃフィルタを用いることで、より一層、精度の高いカットオフ周波数調整が可能となる。
【０１４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４２】
例えば、実施の形態１〜４において、増幅回路２および可変増幅回路３の一方を省略したり、ＡＧＣアンプ部１２および１３を省略したり、増幅回路１６および１７を省略したりしてもよい。また、ローパスフィルタ１４および１５がローパスフィルタ１０および１１の機能を兼ね備えるようにし、ローパスフィルタ１０および１１を省略してもよい。
【０１４３】
また、実施の形態１〜４では、本発明をホモダイン方式の高周波受信装置に適用した場合について説明したが、本発明は、他の方式、例えばヘテロダイン方式の高周波受信装置にも適用可能である。また、本発明をヘテロダイン方式等のような複数の周波数変換回路を備える高周波受信装置に適用する場合、所望のチャンネルに隣接するチャンネルの信号を除去するフィルタとしての役割と、アナログ−デジタル変換器１８の出力信号をアンチエイリアシングするフィルタとしての役割とを持つローパスフィルタは、中間周波数回路部に設けてもよく、ベースバンド回路部に設けてもよい。
【０１４４】
また、実施の形態１〜４では、位相ロックループ（ＰＬＬ）回路８および２２による制御の基準となる基準信号を発生するための２つの基準信号発振器として、同一の構成を持つ２つの基準信号発振器を用いていたが、異なる構成を持つ２つの基準信号発振器を用いてもよい。
【０１４５】
なお、本発明は、以下のようにも表現できる。
【０１４６】
（１）デジタル信号で変調された高周波信号を受信する高周波受信装置であって、高周波信号を検波する検波回路と、前記フィルタからのアナログ信号をデジタル信号に変換するアナログ−デジタル変換回路と、前記アナログ−デジタル変換回路の出力からデジタル復調を行う復調回路（復調部）と、復調回路で検出した受信性能信号（受信品質を表す信号）を読み取ることのできる制御信号制御部とを備える高周波受信装置において、不要高周波成分を除去するためのフィルタ回路であって、不要高周波成分を除去するフィルタを備え、復調回路で検出した受信感度特性データ（受信品質を表す信号）を用いて前記アナログ−デジタル変換回路の前段のフィルタのカットオフ周波数をプログラマブルに制御することを特徴とするフィルタ回路。
【０１４７】
（２）上記（１）の構成において、フィルタ回路がＧｍ−Ｃフィルタを用いることを特徴とするフィルタ回路。
【０１４８】
（３）上記（１）または（２）の構成において、フィルタのカットオフ周波数をセットもしくは調整した後に微調整する為に、微調整することを目的とした回路を備えたことを特徴とするフィルタ回路。
【０１４９】
（４）上記（１）〜（３）の何れかの構成において、フィルタのカットオフ周波数を調整する方法として、復調回路の受信特性結果（受信品質）を元にフィルタのカットオフ周波数をステップさせ、受信特性（受信品質）が向上する場合さらにステップさせていき、受信特性が悪化するまでその動作を繰り返す調整を行い最適値サーチすることを特徴とするフィルタ回路。
【０１５０】
（５）上記（１）〜（３）の何れかの構成において、フィルタのカットオフ周波数を調整する方法として、復調回路の受信特性結果を元にカットオフ周波数をステップ（１ステップのシフト）させ、受信特性が向上する場合さらにステップさせていき、受信特性が悪化するまでその動作を繰り返し、復調回路の受信性能が悪化したら、１ステップ前に戻して、シフト量を減らした上で再度ステップさせるようにして、最適値を精度良くサーチして調整することを特徴とするフィルタ回路。
【０１５１】
（６）上記（１）〜（３）の何れかの構成において、フィルタのカットオフ周波数の調整方法として、復調回路の受信特性結果を元にカットオフ周波数をサーチの初期値を中心に、初期値もしくは基準値を中心に上下に徐々にステップさせて、復調回路の性能（受信品質）が良かった値を最適値とすることを特徴とするフィルタ回路。
【０１５２】
（７）上記（１）〜（６）の何れかの構成において、複数あるフィルタを復調回路の受信特性結果を元に同時に同じ制御することを特徴とするフィルタ回路。
【０１５３】
（８）上記（１）〜（６）の何れかの構成において、複数あるフィルタを復調回路の受信特性結果を元に個別にカットオフ周波数の最適値をサーチ制御することを特徴とするフィルタ回路。
【０１５４】
（９）上記（１）〜（８）の何れかの構成において、前回の最適値サーチの結果を保持して、再度調整時の設定値とすることを特徴とするフィルタ回路。
【０１５５】
（１０）上記（１）〜（８）の何れかの構成において、前回の最適値サーチの結果を保持して、再度調整時の基準値とするフィルタ回路。
【０１５６】
（１１）上記（１）〜（１０）の何れかの構成において、フィルタのカットオフ周波数の最適値をサーチする手段を共通のバスを通じて制御することを特徴とするフィルタ回路。
【産業上の利用可能性】
【０１５７】
本発明は、デジタル衛星放送受信装置やデジタル方式の携帯電話機等に有用な、受信品質の高い高周波受信装置およびそれに用いるフィルタ回路の製造および使用、上記高周波受信装置に組み込むプログラムおよび記録媒体の製造および使用などに利用できる。
【図面の簡単な説明】
【０１５８】
【図１】本発明の第１の実施の形態に係るフィルタ回路を用いた高周波受信装置の概略的構成を示すブロック図である。
【図２】本発明の第２の実施の形態に係るフィルタ回路を用いた高周波受信装置の概略的構成を示すブロック図である。
【図３】本発明の第３の実施の形態に係るフィルタ回路を用いた高周波受信装置の概略的構成を示すブロック図である。
【図４】本発明の第４の実施の形態に係るフィルタ回路を用いた高周波受信装置の概略的構成を示すブロック図である。
【図５】本発明の実施の一形態に係るフィルタ回路のカットオフ周波数の最適値をサーチする方法（アルゴリズム）の一例を示すフローチャートである。
【図６】本発明の実施の一形態に係るフィルタ回路のカットオフ周波数の最適値をサーチする方法（アルゴリズム）の他の一例を示すフローチャートである。
【図７】図５に示す方法でフィルタ回路のカットオフ周波数の最適値をサーチしたときの、カットオフ周波数の変化を表すグラフである。
【図８】本発明の実施の一形態に係るフィルタ回路のカットオフ周波数の最適値をサーチする方法（アルゴリズム）のさらに他の一例を説明するための説明図であり、その方法でフィルタ回路のカットオフ周波数の最適値をサーチしたときの、カットオフ周波数の変化を表すグラフである。
【図９】本発明の第２の実施の形態に係る高周波受信装置における、調整回路の構成例を示す回路図である。
【図１０】従来のフィルタ回路を用いた高周波受信装置の一例の概略的構成を示すブロック図である。
【符号の説明】
【０１５９】
１  受信端子
２  増幅回路
３  可変増幅回路
４，５  周波数変換回路（周波数変換器）
６  ９０°移相器
７  局部発振回路
８  第２のＰＬＬ回路
１０，１１  ローパスフイルタ
１２，１３  可変増幅回路
１４，１５  ローパスフィルタ（Ｇｍ−Ｃフィルタ）
１６，１７  増幅回路
１８，１９  アナログ−デジタル変換回路（アナログ−デジタル変換器）
２０  復調回路（受信品質検出手段）
２１  サンプリング周波数発振回路
２２  第１のＰＬＬ回路
２４  基準信号発振器
２６  制御信号発生器（カットオフ調整手段、調整手段、微調整手段）
３２  ローパスフイルタ（Ｇｍ−Ｃフィルタ）
３３  ミキサ回路
３４  ローパスフィルタ
３５  ＤＣアンプ
３６，３７  定電流源
３８  カットオフ調整回路（カットオフ調整手段、調整手段）
３９  調整回路
４０  微調整回路（カットオフ調整手段、微調整手段）
４２  制御信号
４３  微調整用信号
４４，４５  微調整回路（カットオフ調整手段、微調整手段）
【図１】
2006148708.tif 000005
【図２】
2006148708.tif 000006
【図３】
2006148708.tif 000007
【図４】
2006148708.tif 000008
【図５】
2006148708.tif 000009
【図６】
2006148708.tif 000010
【図７】
2006148708.tif 000011
【図８】
2006148708.tif 000012
【図９】
2006148708.tif 000013
【図１０】
2006148708.tif 000014